(57)【特許請求の範囲】
【請求項１】
各一対の端壁および側壁を有し、その上下を底蓋および天蓋によって閉塞した包装箱内に配置され、平面視形状が異なる商品を保持する保持部材であって、
前記包装箱の前記側壁に沿ってそれぞれ配置される一対の側壁部と、これら側壁部の上端に連続する一対の第１仕切壁部とを有し、
前記側壁部と前記第１仕切壁部の各境界部分に折曲線が設けられ、
前記一対の第１仕切壁部は、前記折曲線に対して交差する方向に延びるとともに、前記両側壁部にかけて延びる打抜部によって内側が区画されており、
前記各側壁部に、前記第１仕切壁部を前記両側壁部間に折り込むための第１折込線と第２折込線とを設け、
前記第１折込線は、前記折曲線に対して交差する方向に延びる前記第１仕切壁部の外側の第１端縁と前記折曲線との交点から、前記側壁部内に位置する前記打抜部にかけて傾斜して延び、
前記第２折込線は、前記折曲線に対する傾斜角度が前記第１折込線より広くなるように、前記交点から前記打抜部にかけて傾斜して延びており、
前記第１折込線に沿って前記側壁部を折り曲げて前記各第１仕切壁部を内側に折り込んだ第１収容状態、および、前記第２折込線に沿って前記側壁部を折り曲げて前記各第１仕切壁部を内側に折り込んだ第２収容状態に変更可能としたことを特徴とする保持部材。
【請求項２】
前記第１仕切壁部に、前記交点から前記第１仕切壁部内に位置する前記打抜部にかけて傾斜して延びる折込誘導線を設けたことを特徴とする請求項１に記載の保持部材。
【請求項３】
少なくとも一方の前記第１仕切壁部の前記第１端縁側に、前記各側壁部の上端に連続する第２仕切壁部を更に設け、
前記側壁部と前記第２仕切壁部の各境界部分に前記折曲線が延設され、
前記第１仕切壁部と前記第２仕切壁部とは、前記第１仕切壁部の前記第１端縁に設けた区画線によって区画されており、
前記各側壁部の前記第２仕切壁部側に、前記第２仕切壁部を前記両側壁部間に折り込むための第１折込線と第２折込線とを更に設け、
前記第１折込線は、前記交点から前記折曲線に対して交差する方向に延びる前記側壁部の外側の第２端縁にかけて傾斜して延び、
前記第２折込線は、前記折曲線に対する傾斜角度が前記第１折込線より広くなるように、前記交点から前記第２端縁にかけて傾斜して延びており、
前記第１折込線に沿って前記側壁部を折り曲げて前記第２仕切壁部を内側に折り込んだ第１収容状態、および、前記第２折込線に沿って前記側壁部を折り曲げて前記第２仕切壁部を内側に折り込んだ第２収容状態に変更可能としたことを特徴とする請求項１または請求項２に記載の保持部材。
【発明の詳細な説明】
【技術分野】
【０００１】
本発明は、平面視形状が異なる商品を包装箱に収容する際に使用する保持部材に関するものである。
【背景技術】
【０００２】
液体を収容したボトルなどの商品は、複数本を纏めて包装箱に収容させて出荷される。この商品は、例えば平面視正方形状をなし、収容可能な容量によって平面視形状（断面積や断面形状）が異なる。そのため、このような商品は、包装箱の内部に収容させる際に、緩衝機能を有する保持部材が用いられる。しかし、平面視形状が異なる複数種の商品毎に保持部材を形成すると、保持部材の種類も多くなる。しかも、使用時には適した保持部材を選択する必要があるため、作業性が悪いという問題がある。また、使用しない保持部材を保管するための保管スペースが必要になる。
【０００３】
特許文献１には、外形が不規則な商品でも確実に支持して収容可能な固定材が記載されている。この固定材は、横方向に延びる一対の側壁部の上端に、内向きに折り込まれる弾性片が連設されている。この弾性片がフレキシブルに撓むことにより、内部に収容する商品の形状に拘わらず、商品の外面にフィットさせて商品を支持できる。
【０００４】
しかしながら、この固定材は、平面視形状が大きく異なる商品を保持することができない。即ち、形状が若干異なる商品であれば、弾性片がフレキシブルに撓んで商品を支持できるが、形状が大きく異なる場合には、弾性片で確実に支持することはできない。その結果、特に重量がある商品に用いた場合、振動による商品の移動を防ぐことができない。
【先行技術文献】
【特許文献】
【０００５】
【特許文献１】特開２０１０−８９８２０号公報
【発明の概要】
【発明が解決しようとする課題】
【０００６】
本発明は、平面視形状が異なる商品でも確実に収容保持できる保持部材を提供することを課題とするものである。
【課題を解決するための手段】
【０００７】
前記課題を解決するため、本発明の保持部材は、各一対の端壁および側壁を有し、その上下を底蓋および天蓋によって閉塞した包装箱内に配置され、平面視形状が異なる商品を保持する保持部材であって、前記包装箱の前記側壁に沿ってそれぞれ配置される一対の側壁部と、これら側壁部の上端に連続する一対の第１仕切壁部とを有し、前記側壁部と前記第１仕切壁部の各境界部分に折曲線が設けられ、前記一対の第１仕切壁部は、前記折曲線に対して交差する方向に延びるとともに、前記両側壁部にかけて延びる打抜部によって内側が区画されており、前記各側壁部に、前記第１仕切壁部を前記両側壁部間に折り込むための第１折込線と第２折込線とを設け、前記第１折込線は、前記折曲線に対して交差する方向に延びる前記第１仕切壁部の外側の第１端縁と前記折曲線との交点から、前記側壁部内に位置する前記打抜部にかけて傾斜して延び、前記第２折込線は、前記折曲線に対する傾斜角度が前記第１折込線より広くなるように、前記交点から前記打抜部にかけて傾斜して延びており、前記第１折込線に沿って前記側壁部を折り曲げて前記各第１仕切壁部を内側に折り込んだ第１収容状態、および、前記第２折込線に沿って前記側壁部を折り曲げて前記各第１仕切壁部を内側に折り込んだ第２収容状態に変更可能としている。
ここで、平面視形状が異なるとは、正方形状、長方形状および円形状などの異なる断面形状は勿論、同一形状であっても断面積（大きさ）が異なるものも含む。
【０００８】
この保持部材は、側壁部に傾斜角度が異なる第１および第２折込線を設けているため、第１折込線に沿って折り曲げた第１収容状態と、第２折込線に沿って折り曲げた第２収容状態とで、連続した第１仕切壁部の傾斜角度が異なる。そのため、平面視形状が異なる商品を確実に収容保持できる。
【０００９】
また、平面視形状が小さい商品を収容する第１収容状態では、第１仕切壁部が商品の外面に当接することにより、弾性的に傾斜角度が変わる。この際、第２折込線に沿って側壁部が折れ曲がり、折曲線および第１折込線の間に位置する第１面が内向きに移動して、商品の外面に当接する。また、第１および第２折込線の間に位置する第２面が内向きに撓む。そして、商品の外面への第１面の当接により、第１仕切壁部の移動が抑制される。その結果、平面視形状が小さい商品の移動を防止して、確実に保持できる。
【００１０】
この保持部材では、前記第１仕切壁部に、前記交点から前記第１仕切壁部内に位置する前記打抜部にかけて傾斜して延びる折込誘導線を設けることが好ましい。このようにすれば、一対の側壁部および各仕切壁部を折曲線に沿って折り曲げた状態で、仕切壁部の上側から商品を圧入することにより、仕切壁部が折込誘導線に沿って下向きに折れ曲がる。その結果、側壁部が第１折込線に沿って折れ曲がるように、内向きに誘導される。よって、収容する商品の平面視形状に応じて予め折込状態を調整する必要はないため、作業性を高めることができる。
【００１１】
また、少なくとも一方の前記第１仕切壁部の前記第１端縁側に、前記各側壁部の上端に連続する第２仕切壁部を更に設け、前記側壁部と前記第２仕切壁部の各境界部分に前記折曲線が延設され、前記第１仕切壁部と前記第２仕切壁部とは、前記第１仕切壁部の前記第１端縁に設けた区画線によって区画されており、前記各側壁部の前記第２仕切壁部側に、前記第２仕切壁部を前記両側壁部間に折り込むための第１折込線と第２折込線とを更に設け、前記第１折込線は、前記交点から前記折曲線に対して交差する方向に延びる前記側壁部の外側の第２端縁にかけて傾斜して延び、前記第２折込線は、前記折曲線に対する傾斜角度が前記第１折込線より広くなるように、前記交点から前記第２端縁にかけて傾斜して延びており、前記第１折込線に沿って前記側壁部を折り曲げて前記第２仕切壁部を内側に折り込んだ第１収容状態、および、前記第２折込線に沿って前記側壁部を折り曲げて前記第２仕切壁部を内側に折り込んだ第２収容状態に変更可能とすることが好ましい。このようにすれば、平面視形状が異なる２以上の商品を１個の保持部材で収容保持できるため、部品点数を削減することができる。
【発明の効果】
【００１２】
本発明の保持部材では、側壁部に傾斜角度が異なる第１および第２折込線を設けているため、第１折込線に沿って折り曲げた第１収容状態と、第２折込線に沿って折り曲げた第２収容状態とで、平面視形状が異なる商品を確実に収容保持できる。
【図面の簡単な説明】
【００１３】
【図１】本発明に係る実施形態の保持部材、包装箱および商品の関係を示す分解斜視図である。
【図２】包装箱に商品を収容した状態を示す断面図である。
【図３】保持部材と平面視形状が異なる商品とを示す斜視図である。
【図４】（Ａ），（Ｂ），（Ｃ），（Ｄ）は保持部材に対して商品を配置する際の段階的な変化を示す断面図である。
【図５】保持部材のブランクを示す平面図である。
【発明を実施するための形態】
【００１４】
以下、本発明の実施の形態を図面に従って説明する。
【００１５】
図１および図２は、本発明の実施形態に係る保持部材３０を用いた包装箱１０を示す。この包装箱１０は、平面視形状が異なる所定の商品１Ａ，１Ｂを保持部材３０を使用して収容するものである。
【００１６】
図１および図２に示すように、本実施形態で収容する商品１Ａ，１Ｂは、液体などを収容するボトルである。これらは平面視正方形状をなし、商品１Ａの断面積は、商品１Ｂの断面積より大きい。但し、商品１Ａ，１Ｂは、平面視が正方形状に限られず、長方形状、その他の多角形状、円形状など、種々のものが適用可能である。また、商品１Ａ，１Ｂはボトルに限られるものではない。
【００１７】
包装箱１０と保持部材３０は、表ライナおよび裏ライナの間に波状の中しんを配設した周知の段ボール紙を、周知の紙器打抜装置（図示せず）によって連続した一枚のブランクとして打ち抜き、所定部位を折り曲げることによって成形される。
【００１８】
包装箱１０は、３本の商品１Ａ，１Ｂを収容するものである。この包装箱１０は、横方向に交互に連続する各一対の端壁１１Ａ，１１Ｂと側壁１２Ａ，１２Ｂを有する平面視筒状の外周壁を備えている。この外周壁は、下端開口が底蓋１４によって閉塞され、上端開口が天蓋１７によって閉塞される。なお、端部に位置する側壁１２Ａの縁には、反対側の端部に位置する端壁１１Ｂの縁に貼着するための糊代部１３が連設されている。
【００１９】
底蓋１４は、端壁１１Ａ，１１Ｂの下端縁に連設した内フラップ１５と、側壁１２Ａ，１２Ｂの下端に連設した外フラップ１６とで構成される。天蓋１７は、端壁１１Ａ，１１Ｂの上端縁に連設した内フラップ１８と、側壁１２Ａの上端縁に連設した蓋フラップ１９と、側壁１２Ｂの上端縁に連設した係止フラップ２１とで構成される。蓋フラップ１９の先端には係止片２０が連設され、係止フラップ２１には係止片２０が係止する係止穴部２２が設けられている。また、係止フラップ２１には、内向きに折り込む折込壁２３が連設され、この折込壁２３に位置決め壁２４が更に連設されている。そして、この位置決め壁２４には、ボトルの首（キャップの部分）を位置決めするための位置決め穴２５が設けられている。
【００２０】
なお、底蓋１４および天蓋１７は以上の構成に限定されず、別体で構成するなど、希望に応じて変更が可能である。また、底蓋１４は、側壁１２Ａを端壁１１Ａに対して折り曲げ、端壁１１Ｂを側壁１２Ｂに対して折り曲げた重畳状態で、端壁１１Ａ，１１Ｂおよび側壁１２Ａ，１２Ｂを矩形状をなすように広げることにより、自動的に閉塞するようにした所謂底ワンタッチ封緘方式としてもよい。
【００２１】
保持部材３０のブランクは、図５に示すように、薄墨を付した左右一対の側壁部３１Ａ，３１Ｂと、中央に位置する一対の第１仕切壁部３４Ａ，３４Ｂと、中央上側に位置する第２仕切壁部３７と、中央下側に位置する第３仕切壁部３８とを備える。
【００２２】
側壁部３１Ａ，３１Ｂは、包装箱１０の側壁１２Ａ，１２Ｂに沿って配置されるものである。本実施形態の側壁部３１Ａ，３１Ｂは、組立状態において、後述する仕切壁部３４Ａ，３４Ｂ，３７，３８の寸法設定により、下端縁が側壁１２Ａ，１２Ｂと底蓋１４の角部に位置し、上側内向きに傾斜して延びるように配置される。また、側壁部３１Ａ，３１Ｂの外側端縁３２の下部には、外向きに突出する支持部３３が突設されている。
【００２３】
第１仕切壁部３４Ａ，３４Ｂは、組立状態で側壁部３１Ａ，３１Ｂの上端に連続するものである。２面の第１仕切壁部３４Ａ，３４Ｂを面一とした平面視形状は、断面積が大きい商品１Ａの平面視形状を収容可能な正方形状をなす。これら第１仕切壁部３４Ａ，３４Ｂと側壁部３１Ａ，３１Ｂの各境界部分には、直線状に延びる折曲線３５が設けられている。また、各第１仕切壁部３４Ａ，３４Ｂは、両側の側壁部３１Ａ，３１Ｂにかけて直線状に延びる打抜部３６によって区画されている。本実施形態の折曲線３５は、段ボール紙の肉厚を圧縮するように罫を入れて形成した折線部上に、所定間隔をもって切断部を設けたリード罫により構成している。また、打抜部３６は、段ボール紙に刃を入れて設けた切断線により構成している。なお、折曲線３５の切断部は、打抜部３６との交点には設けない構成としている。
【００２４】
第２仕切壁部３７は、上側に位置する第１仕切壁部３４Ａの外側端に設けられ、第３仕切壁部３８は、下側に位置する第１仕切壁部３４Ｂの外側端に設けられている。これら第２および第３仕切壁部３７，３８は、第１仕切壁部３４Ａ，３４Ｂと同様に、組立状態で側壁部３１Ａ，３１Ｂの上端に連続するものである。これら第２および第３仕切壁部３７，３８と側壁部３１Ａ，３１Ｂの各境界部分には、前述した折曲線３５が直線状をなすように延設されている。また、第２および第３仕切壁部３７，３８と第１仕切壁部３４Ａ，３４Ｂとは、直線状に延びる区画線３９によって区画されている。この区画線３９は、打抜部３６と同様の切断線により構成している。なお、折曲線３５の切断部は、区画線３９との交点には設けない構成としている。さらに、第２仕切壁部３７には、円形状をなすように打ち抜いた貫通穴４０が設けられている。
【００２５】
この保持部材３０には、第１から第３の仕切壁部３４Ａ，３４Ｂ，３７，３８を側壁部３１Ａ，３１Ｂ間に折り込むための折込線４１〜４４が設けられている。具体的には、側壁部３１Ａ，３１Ｂには、第１仕切壁部３４Ａ，３４Ｂの外側端縁である区画線３９と折曲線３５の交点から、側壁部３１Ａ，３１Ｂ内に延設された打抜部３６にかけて傾斜して延びる第１折込線４１と、第１折込線４１より広い傾斜角度で延びる第２折込線４２とが設けられている。また、側壁部３１Ａ，３１Ｂには、折曲線３５と区画線３９の交点から側壁部３１Ａ，３１Ｂの外側端縁３２にかけて傾斜して延びる第１折込線４３と、第１折込線４３より広い傾斜角度で延びる第２折込線４４とが設けられている。第１折込線４１，４３は、折曲線３５とのなす角が４５度未満の鋭角な傾斜角度で延びるものである。第２折込線４２，４４は、折曲線３５とのなす角が第１折込線４１，４３より鈍角な傾斜角度で延びるものである。本実施形態では、２パターンの収容状態に変更可能とするため、第１折込線４１，４３の傾斜角度（例えば２３度）は、第２折込線４２，４４の傾斜角度（例えば４６度）の略半分としている。この第２折込線４２，４４に沿って側壁部３１Ａ，３１Ｂを折り曲げると、各仕切壁部３４Ａ，３４Ｂ，３７，３８が垂直方向に延びるように、第２折込線４２，４４の傾斜角度が設定される。
【００２６】
折込線４１〜４４は、折曲線３５と同様のリード罫により構成している。なお、打抜部３６は、その端部が第２折込線４２の端部に位置するように形成されている。また、支持部３３は、第２折込線４４の端部から突出するように形成されている。さらに、第１折込線４１，４３は、両端に切断部が位置しないように構成している。また、第２折込線４２，４４は、折曲線３５と区画線３９の交点の側の端に切断部が位置しないように構成し、打抜部３６の側の端に円弧状に湾曲させた切断部が位置するように構成している。
【００２７】
また、保持部材３０には、各仕切壁部３４Ａ，３４Ｂ，３７，３８に、折込線４１〜４４に沿って折り曲げるための折込誘導線４５，４６が設けられている。第１仕切壁部３４Ａ，３４Ｂの折込誘導線４５は、第１仕切壁部３４Ａ，３４Ｂの外側端縁である区画線３９と折曲線３５の交点から、第１仕切壁部３４Ａ，３４Ｂ内の打抜部３６にかけて傾斜して延びるように設けられている。第２および第３仕切壁部３７，３８の折込誘導線４６は、区画線３９と折曲線３５の交点から、第２および第３仕切壁部３７，３８の端縁にかけて傾斜して延びるように設けられている。これら折込誘導線４５，４６は、折曲線３５とのなす角が第１折込線４１，４３の傾斜角度より小さい鋭角な傾斜角度（例えば１６度）で延びるように設けられている。また、折込誘導線４５，４６は、折曲線３５と同様のリード罫により構成している。
【００２８】
このように構成した保持部材３０のブランクは、図３および図４（Ａ）に示すように、折曲線３５に沿って仕切壁部３４Ａ，３４Ｂ，３７，３８に対して側壁部３１Ａ，３１Ｂを折り曲げた状態で、包装箱１０内に配置される。そして、第１仕切壁部３４Ａ，３４Ｂ上、第２仕切壁部３７上、および、第３仕切壁部３８上に商品１Ａ，１Ｂを配置し、商品１Ａ，１Ｂを上側から圧入することにより収容保持できる。
【００２９】
具体的には、商品１Ａ，１Ｂを上側から圧入すると、まず、図４（Ｂ）に示すように、折込誘導線４５に沿って第１仕切壁部３４Ａ，３４Ｂが下向きに折れ曲がる。これにより、折曲線３５を介して連続した側壁部３１Ａ，３１Ｂが第１折込線４１に沿って折れ曲がるように、内向きに誘導される。そして、引き続いて商品１Ａ，１Ｂを圧入すると、図４（Ｃ）に示すように、側壁部３１Ａ，３１Ｂが第１折込線４１に沿って折れ曲がった第１収容状態となる。また、断面積が大きい商品１Ａの場合、引き続いて圧入することにより、図４（Ｄ）に示すように、側壁部３１Ａ，３１Ｂが第２折込線４２に沿って折れ曲がった第２収容状態となる。なお、第２および第３仕切壁部３７，３８に対して商品１Ａ，１Ｂを収容させた場合も同様である。
【００３０】
断面積が小さい商品１Ｂを収容する第１収容状態では、図４（Ｃ）に示すように、第１仕切壁部３４Ａ，３４Ｂが内側下向きに傾斜した状態をなす。そして、打抜部３６による下端（切断）縁には商品１Ｂの外面が当接することにより、第１仕切壁部３４Ａ，３４Ｂの傾斜角度が弾性的に変わる。この際、第２折込線４２に沿って側壁部３１Ａ，３１Ｂが折れ曲がり、その折曲部分を支点として折曲線３５および第１折込線４１の間に位置する第１面４７が内向きに移動し、商品１Ｂの外面に当接する。また、第１および第２折込線４１，４２の間に位置する第２面４８が内向きに撓む。そして、商品１Ｂの外面への第１面４７の当接により、第１仕切壁部３４Ａ，３４Ｂの移動が抑制される。その結果、商品１Ｂの移動を防止して、確実に保持できる。
【００３１】
また、断面積が大きい商品１Ａを収容する第２収容状態では、図４（Ｄ）に示すように、第１仕切壁部３４Ａ，３４Ｂが垂下した状態をなす。そして、第１仕切壁部３４Ａ，３４Ｂに商品１Ｂの外面が当接（面接触）し、第１および第２面４７，４８が内側に折り込まれた状態をなす。これら第１および第２面４７，４８の張力により、第１仕切壁部３４Ａ，３４Ｂの更なる移動が抑制される。その結果、商品１Ｂの移動を防止して、確実に保持できる。
【００３２】
このように、本発明の保持部材３０では、側壁部３１Ａ，３１Ｂを第１折込線４１，４３に沿って折り曲げて各仕切壁部３４Ａ，３４Ｂ，３７，３８を内側に折り込んだ第１収容状態、および、側壁部３１Ａ，３１Ｂを第２折込線４２に沿って折り曲げて各仕切壁部３４Ａ，３４Ｂ，３７，３８を内側に折り込んだ第２収容状態に変更可能としている。そして、第１および第２収容状態では、連続した仕切壁部３４Ａ，３４Ｂ，３７，３８の傾斜角度が異なるため、その間に平面視形状が異なる商品１Ａ，１Ｂを確実に収容保持できる。
【００３３】
また、各仕切壁部３４Ａ，３４Ｂ，３７，３８には折込誘導線４５，４６を設け、商品１Ａ，１Ｂを上側から圧入するだけで各収容状態に変移可能としている。即ち、収容する商品１Ａ，１Ｂの平面視形状に応じて予め折込状態を調整する必要はないため、作業性を高めることができる。中央の収容部の両側にも収容部を形成しているため、３本の商品１Ａ，１Ｂを平面視形状に拘わらず１個の保持部材３０で収容保持できるため、部品点数を削減することができる。
【００３４】
なお、本発明の保持部材３０は、前記実施形態の構成に限定されるものではなく、種々の変更が可能である。
【００３５】
例えば、第１仕切壁部３４Ａ，３４Ｂからなる第１収容部の両側に、第２および第３仕切壁部３７，３８からなる第２および第３収容部を形成したが、第３仕切壁部３８は設けることなく、２本の商品１Ａ，１Ｂを収容可能としてもよい。勿論、第２仕切壁部３７も設けない構成として、１本の商品１Ａ，１Ｂを収容可能としてもよい。
【００３６】
また、前記実施形態では、打抜部３６を隙間が形成されない切断線により構成したが、所定の隙間が形成される溝により構成してもよい。さらに、打抜部３６は、全てを切断するのではなく、部分的に連続部を設け、商品１Ａ，１Ｂの収容により連続部を破断する構成としてもよい。さらにまた、前記実施形態では、区画線３９を切断線により構成したが、ハーフカット線により構成してもよいうえ、罫を入れて形成した折線により構成してもよい。そして、前記実施形態では、折曲線３５、折込線４１〜４４および折込誘導線４５，４６をリード罫により構成したが、折線によって構成してもよい。また、これら折込誘導線４５，４６は、設けない構成としてもよい。
【００３７】
さらに、前記実施形態では、第１折込線４１，４３および第２折込線４２，４４により、収容状態を２段階で変更可能としたが、第３折込線を設けることにより３段階で変更可能としてもよく、４段階以上の変更を可能としてもよい。また、前記実施形態のように２以上の収容部を形成する場合には、各収容部で変更可能な数が異なるようにしてもよい。
【符号の説明】
【００３８】
１Ａ，１Ｂ…商品
１０…包装箱
１１Ａ，１１Ｂ…端壁
１２Ａ，１２Ｂ…側壁
１４…底蓋
１７…天蓋
３０…保持部材
３１Ａ，３１Ｂ…側壁部
３２…外側端縁
３４Ａ，３４Ｂ…第１仕切壁部
３５…折曲線
３６…打抜部
３７…第２仕切壁部
３８…第３仕切壁部
３９…区画線
４１…第１折込線
４２…第２折込線
４３…第１折込線
４４…第２折込線
４５…折込誘導線
４６…折込誘導線
【図１】
0005819667.tif 000002
【図２】
0005819667.tif 000003
【図３】
0005819667.tif 000004
【図４】
0005819667.tif 000005
【図５】
0005819667.tif 000006